(57)【要約】【課題】重量が異なる複数種類のインク滴を吐出することができるプリンタにおいて、解像度の異なる印刷を行う技術を提供する。【解決手段】このプリンタは、原駆動信号に基づいて３種類の駆動信号を生成することができる。そして、その３種類の駆動信号に基づいて重量の異なる３種類のインク滴を吐出して、印刷用紙上に大ドット、中ドット、小ドットを形成する。低解像度モードにおいては、中ドット、大ドットのみで印刷を行う。そして、印刷用紙上の各主走査ラインを２回の主走査で記録する。これに対して、高解像度モードにおいては、小ドット、中ドットのみで印刷を行う。そして、印刷用紙上の各主走査ラインを４回の主走査で記録する。このような態様とすれば、一つの原駆動波形に基づいて解像度の異なる２種類の印刷を行うことができる。【選択図】  図１
2008080814.tif 000002
【特許請求の範囲】
【請求項１】
ノズルからインク滴を吐出させ、印刷媒体上に着弾させてドットを形成することにより印刷を行う印刷装置であって、
ノズルを備えた印刷ヘッドと、
原駆動信号に基づいて前記ノズルから重量が異なる複数種類のインク滴を吐出させることができるヘッド駆動部と、
前記印刷ヘッドと、前記印刷媒体と、の少なくとも一方を移動させる主走査を行う主走査駆動部と、
前記各部を制御する制御部と、を備え、
前記制御部は、
前記主走査の方向について第１のドット記録密度で前記印刷媒体上にドットを記録する第１のドット記録モードと、
前記第１のドット記録モードと共通の前記原駆動信号に基づいて吐出される前記インク滴を使用して、前記主走査の方向について前記第１のドット記録密度よりも高密度の第２のドット記録密度で前記印刷媒体上にドットを記録する第２のドット記録モードと、を備える印刷装置。
【請求項２】
請求項１記載の印刷装置であって、
前記制御部は、
前記第１のドット記録モードにおいて、第１の調整値に基づいて前記主走査の方向のドット形成位置ずれを調整して印刷を行い、
前記第２のドット記録モードにおいて、第２の調整値に基づいて前記主走査の方向のドット形成位置ずれを調整して印刷を行う、印刷装置。
【請求項３】
請求項２記載の印刷装置であって、
前記制御部は、さらに、
前記第１のドット記録モードにおいて使用するインク滴のうち少なくとも一種類のインク滴を使用して第１の位置ずれ検査用パターンを印刷媒体上に印刷し、前記第２のドット記録モードにおいて使用するインク滴のうち少なくとも一種類のインク滴であって、前記第１の位置ずれ検査用パターンを印刷したインク滴以外のインク滴を使用して第２の位置ずれ検査用パターンを印刷媒体上に印刷する検査用パターン形成部と、
前記印刷された第１および第２の位置ずれ検査用パターンに基づいてユーザによってそれぞれ決定された、前記第１の調整値および前記第２の調整値を受け取ることができるユーザーインターフェイス部と、を備える印刷装置。
【請求項４】
請求項２記載の印刷装置であって、さらに、
前記第１の調整値および前記第２の調整値を記憶する不揮発性メモリを備える、印刷装置。
【請求項５】
ノズルからインク滴を吐出させ、印刷媒体上に着弾させてドットを形成することにより印刷を行う印刷装置であって、
ノズルを備えた印刷ヘッドと、
原駆動信号に基づいて前記ノズルから重量が異なる複数種類のインク滴を吐出させることができるヘッド駆動部と、
前記印刷ヘッドと、前記印刷媒体と、の少なくとも一方を移動させる主走査を行う主走査駆動部と、
前記各部を制御する制御部と、を備え、
前記制御部は、
前記重量が異なる複数種類のインク滴のうち最も重量の小さいインク滴を使用せずに、前記最も重量の小さいインク滴以外のインク滴を使用して、前記主走査の方向について第１のドット記録密度で前記印刷媒体上にドットを記録する第１のドット記録モードと、
前記第１のドット記録モードと共通の前記原駆動信号に基づいて吐出される前記最も重量の小さいインク滴を少なくとも使用して、前記主走査の方向について前記第１のドット記録密度よりも高密度の第２のドット記録密度で前記印刷媒体上にドットを記録する第２のドット記録モードと、を備える印刷装置。
【請求項６】
請求項１ないし５のいずれかに記載の印刷装置であって、
前記制御部は、
前記第１のドット記録モードにおいて、ｎ回（ｎは１以上の整数）の前記主走査で一つの主走査ライン内のすべての画素にドットを記録することができ、
前記第２のドット記録モードにおいて、ｍ回（ｍはｎより大きい整数）の前記主走査で一つの主走査ライン内のすべての画素にドットを記録することができる、印刷装置。
【請求項７】
請求項５記載の印刷装置であって、
前記制御部は、
前記第１のドット記録モードにおいて、第１の調整値に基づいて前記主走査の方向のドット形成位置ずれを調整して印刷を行い、
前記第２のドット記録モードにおいて、第２の調整値に基づいて前記主走査の方向のドット形成位置ずれを調整して印刷を行う、印刷装置。
【請求項８】
請求項７記載の印刷装置であって、
前記制御部は、さらに、
前記第１のドット記録モードにおいて使用するインク滴のうち少なくとも一種類のインク滴を使用して第１の位置ずれ検査用パターンを印刷媒体上に印刷し、少なくとも前記最も重量の小さいインク滴を使用して第２の位置ずれ検査用パターンを印刷媒体上に印刷する検査用パターン形成部と、
前記印刷された第１および第２の位置ずれ検査用パターンに基づいてユーザによってそれぞれ決定された、前記第１の調整値および前記第２の調整値を受け取ることができるユーザーインターフェイス部と、を備える印刷装置。
【請求項９】
請求項７記載の印刷装置であって、
前記検査用パターン形成部は、前記第２の位置ずれ検査用パターンを印刷する際には、前記第１の位置ずれ検査用パターンを印刷する際に最も多く使用する第１の種類のインク滴とは異なる第２の種類のインク滴を最も多く使用して、前記第２の位置ずれ検査用パターンを印刷する印刷装置。
【請求項１０】
請求項７記載の印刷装置であって、さらに、
前記第１の調整値および前記第２の調整値を記憶する不揮発性メモリを備える、印刷装置。
【請求項１１】
印刷媒体上にインク滴を着弾させてドットを形成することにより印刷を行う方法であって、
（ａ）一つの原駆動信号に基づいて吐出させることができ互いに重量が異なる複数種類のインク滴の少なくとも一部のインク滴を使用して、前記主走査の方向について第１のドット記録密度で前記印刷媒体上にドットを記録する工程と、
（ｂ）前記工程（ａ）における前記原駆動信号と共通の原駆動信号に基づいて吐出される前記複数種類のインク滴の少なくとも一部を使用して、前記主走査の方向について前記第１のドット記録密度よりも高密度の第２のドット記録密度で前記印刷媒体上にドットを記録する工程と、を備える印刷方法。
【請求項１２】
請求項１１記載の印刷方法であって、
前記工程（ａ）は、第１の調整値に基づいて前記主走査の方向のドット形成位置ずれを調整して印刷を行う工程を含み、
前記工程（ｂ）は、第２の調整値に基づいて前記主走査の方向のドット形成位置ずれを調整して印刷を行う工程を含む、印刷方法。
【請求項１３】
請求項１２記載の印刷方法であって、さらに、
（ｃ）前記工程（ａ）において使用するインク滴のうち少なくとも一種類のインク滴を使用して第１の位置ずれ検査用パターンを印刷媒体上に印刷する工程と、
（ｄ）前記第１の位置ずれ検査用パターンに基づいてユーザによってそれぞれ決定された、前記第１の調整値を記憶する工程と、
（ｅ）前記工程（ｂ）において使用するインク滴のうち少なくとも一種類のインク滴であって、前記第１の位置ずれ検査用パターンを印刷したインク滴以外のインク滴を使用して第２の位置ずれ検査用パターンを印刷媒体上に印刷する工程と、
（ｆ）前記第２の位置ずれ検査用パターンに基づいてユーザによってそれぞれ決定された、前記第２の調整値を記憶する工程と、を含む、印刷方法。
【請求項１４】
印刷媒体上にインク滴を着弾させてドットを形成することにより印刷を行う方法であって、
（ａ）一つの原駆動信号に基づいて吐出させることができ互いに重量が異なる複数種類のインク滴のうち最も重量の小さいインク滴を使用せずに、前記最も重量の小さいインク滴以外のインク滴を使用して、前記主走査の方向について第１のドット記録密度で前記印刷媒体上にドットを記録する工程と、
（ｂ）少なくとも前記最も重量の小さいインク滴を使用して、前記主走査の方向について前記第１のドット記録密度よりも高密度の第２のドット記録密度で前記印刷媒体上にドットを記録する工程と、を備える印刷方法。
【請求項１５】
請求項１１ないし１４のいずれかに記載の印刷方法であって、
前記工程（ａ）は、ｎ回（ｎは１以上の整数）の前記主走査で一つの主走査ライン内のすべての画素へのドットの記録を完了する工程を含み、
前記工程（ｂ）は、ｍ回（ｍはｎより大きい整数）の前記主走査で一つの主走査ライン内のすべての画素へのドットの記録を完了する工程を含む、印刷方法。
【請求項１６】
請求項１４記載の印刷方法であって、
前記工程（ａ）は、第１の調整値に基づいて前記主走査の方向のドット形成位置ずれを調整して印刷を行う工程を含み、
前記工程（ｂ）は、第２の調整値に基づいて前記主走査の方向のドット形成位置ずれを調整して印刷を行う工程を含む、印刷方法。
【請求項１７】
請求項１６記載の印刷方法であって、さらに、
（ｃ）前記工程（ａ）において使用するインク滴のうち少なくとも一種類のインク滴を使用して第１の位置ずれ検査用パターンを印刷媒体上に印刷する工程と、
（ｄ）前記第１の位置ずれ検査用パターンに基づいてユーザによってそれぞれ決定された、前記第１の調整値を記憶する工程と、
（ｅ）少なくとも前記最も重量の小さいインク滴を使用して第２の位置ずれ検査用パターンを印刷媒体上に印刷する工程と、
（ｆ）前記第２の位置ずれ検査用パターンに基づいてユーザによってそれぞれ決定された、前記第２の調整値を記憶する工程と、を含む、印刷方法。
【請求項１８】
請求項１６記載の印刷方法であって、
前記工程（ｅ）は、前記第１の位置ずれ検査用パターンを印刷する際に最も多く使用する第１の種類のインク滴とは異なる第２の種類のインク滴を最も多く使用して、前記第２の位置ずれ検査用パターンを印刷する工程を含む、印刷方法。
【請求項１９】
ノズルからインク滴を吐出させ、印刷媒体上に着弾させてドットを形成することにより印刷を行う印刷装置に供給する印刷データを生成する印刷制御装置であって、
前記印刷装置は、
ノズルを備えた印刷ヘッドと、
原駆動信号に基づいて前記ノズルからインク滴を吐出させるヘッド駆動部と、
前記印刷ヘッドと、前記印刷媒体と、の少なくとも一方を移動させる主走査を行う主走査駆動部と、を備え、
前記印刷制御装置は、
前記印刷装置に印刷させる画像を表す画像データであって、前記印刷データに含まれる画像データを生成する画像データ生成部と、
前記印刷データに含まれるモード識別コマンドを生成するモード識別コマンド生成部と、を備え、
前記モード識別コマンドは、
前記主走査の方向について第１のドット記録密度で前記印刷媒体上にドットを記録する第１のドット記録モードと、
前記第１のドット記録モードと共通の前記原駆動信号に基づいて、前記インク滴を使用して、前記主走査の方向について前記第１のドット記録密度よりも高密度の第２のドット記録密度で前記印刷媒体上にドットを記録する第２のドット記録モードと、を含む複数のドット記録モードのうちのいずれのドット記録モードで前記画像データを印刷すべきかを示すコマンドである、印刷制御装置。
【請求項２０】
ノズルからインク滴を吐出させ、印刷媒体上に着弾させてドットを形成することにより印刷を行う印刷部を備えたコンピュ−タに印刷を行わせるためのコンピュータプログラムを記録したコンピュータ読み取り可能な記録媒体であって、
前記印刷部は、
ノズルを備えた印刷ヘッドと、
原駆動信号に基づいて前記ノズルから重量が異なる複数種類のインク滴を吐出させることができるヘッド駆動部と、
前記印刷ヘッドと、前記印刷媒体と、の少なくとも一方を移動させる主走査を行う主走査駆動部と、を備え、
前記記録媒体は、
前記主走査の方向について第１のドット記録密度で前記印刷媒体上にドットを記録する第１のドット記録モードで印刷を実行する機能と、
前記第１のドット記録モードと共通の前記原駆動信号に基づいて吐出される前記インク滴を使用して、前記主走査の方向について前記第１のドット記録密度よりも高密度の第２のドット記録密度で前記印刷媒体上にドットを記録する第２のドット記録モードで印刷を実行する機能と、を前記コンピュータに実現させるためのコンピュータプログラムを記録している、コンピュータ読み取り可能な記録媒体。
【請求項２１】
ノズルからインク滴を吐出させ、印刷媒体上に着弾させてドットを形成することにより印刷を行う印刷部を備えたコンピュ−タに、印刷を行わせるためのコンピュータプログラムを記録したコンピュータ読み取り可能な記録媒体であって、
前記印刷部は、
ノズルを備えた印刷ヘッドと、
原駆動信号に基づいて前記ノズルからインク滴を吐出させるヘッド駆動部と、
前記印刷ヘッドと、前記印刷媒体と、の少なくとも一方を移動させる主走査を行う主走査駆動部と、を備え、
前記記録媒体は、
前記印刷部に印刷させる画像を表す画像データであって、前記印刷データに含まれる画像データを生成する機能と、
前記印刷データに含まれるモード識別コマンドを生成する機能と、を前記コンピュータに実現させるためのコンピュータプログラムを記録しており、
前記モード識別コマンドは、
前記主走査の方向について第１のドット記録密度で前記印刷媒体上にドットを記録する第１のドット記録モードと、
前記第１のドット記録モードと共通の前記原駆動信号に基づいて、前記インク滴を使用して、前記主走査の方向について前記第１のドット記録密度よりも高密度の第２のドット記録密度で前記印刷媒体上にドットを記録する第２のドット記録モードと、を含む複数のドット記録モードのうちのいずれのドット記録モードで前記画像データを印刷すべきかを示すコマンドである、コンピュータ読み取り可能な記録媒体。
【発明の詳細な説明】
【技術分野】
【０００１】
この発明は、主走査を行いつつ印刷媒体上にドットを形成することによって画像を印刷する技術に関し、特に、解像度の異なる印刷を行う技術に関する。
【背景技術】
【０００２】
従来より、順次行路の位置を変えながら印刷ヘッドを往復動させつつ、印刷ヘッドからインクを吐出させてドットを形成して、画像を印刷するプリンタがある。そのようなプリンタの中には、一つの原駆動信号に基づいて複数種類の駆動信号を生成し、その駆動信号に基づいて異なる重量のインク滴を吐出して、異なる大きさのドットを印刷用紙上に形成するものがあった。
【０００３】
【特許文献１】特開２００１−１２９９８０号公報
【０００４】
上記のようなプリンタにおいて、記録密度（印刷解像度）の異なる印刷を行う場合には、それぞれの記録密度に応じた複数種類の原駆動信号をあらかじめ用意しておき、それぞれの原駆動信号に基づいて記録密度の異なる印刷のための駆動信号を生成し、インク滴を吐出していた。このため、解像度の異なる印刷を行う際には、駆動信号の生成が煩雑であった。
【発明の開示】
【発明が解決しようとする課題】
【０００５】
この発明は、従来技術における上述の課題を解決するためになされたものであり、簡便に駆動信号を生成して解像度の異なる印刷を行う技術を提供することを目的とする。
【課題を解決するための手段】
【０００６】
上述の課題の少なくとも一部を解決するため、本発明では、ノズルからインク滴を吐出させ、印刷媒体上に着弾させてドットを形成することにより印刷を行う印刷装置を対象として、所定の処理を行う。この印刷装置は、ノズルを備えた印刷ヘッドと、原駆動信号に基づいてノズルから重量が異なる複数種類のインク滴を吐出させることができるヘッド駆動部と、印刷ヘッドと、印刷媒体と、の少なくとも一方を移動させる主走査を行う主走査駆動部と、各部を制御する制御部と、を備える。
【０００７】
そのような印刷装置において、主走査の方向について第１のドット記録密度で印刷媒体上にドットを記録する第１のドット記録モードと、第１のドット記録モードと共通の原駆動信号に基づいて吐出されるインク滴を使用して、主走査の方向について第１のドット記録密度よりも高密度の第２のドット記録密度で印刷媒体上にドットを記録する第２のドット記録モードと、による印刷を行う。このような態様とすれば、同一の原駆動信号に基づいて、簡便に駆動信号を生成して主走査方向の解像度の異なる印刷を行うことができる。
【０００８】
また、そのような印刷装置において、重量が異なる複数種類のインク滴のうち最も重量の小さいインク滴を使用せずに、最も重量の小さいインク滴以外のインク滴を使用して、主走査の方向について第１のドット記録密度で印刷媒体上にドットを記録する第１のドット記録モードと、第１のドット記録モードと共通の原駆動信号に基づいて吐出される最も重量の小さいインク滴を少なくとも使用して、主走査の方向について第１のドット記録密度よりも高密度の第２のドット記録密度で印刷媒体上にドットを記録する第２のドット記録モードと、による印刷を行う。このような態様とすれば、同一の原駆動信号に基づいて、簡便に駆動信号を生成して主走査方向の解像度の異なる印刷を行うことができる。
【０００９】
なお、第１のドット記録モードにおいて、ｎ回（ｎは１以上の整数）の主走査で一つの主走査ライン内のすべての画素にドットを記録し、第２のドット記録モードにおいて、ｍ回（ｍはｎより大きい整数）の主走査で一つの主走査ライン内のすべての画素にドットを記録する態様とすることができる。このような態様とすれば、同一の原駆動信号に基づいて、主走査方向の解像度の異なる印刷を行うことができる。
【００１０】
なお、第１のドット記録モードにおいては、第１の調整値に基づいて主走査の方向のドット形成位置ずれを調整して印刷を行い、第２のドット記録モードにおいては、第２の調整値に基づいて主走査の方向のドット形成位置ずれを調整して印刷を行うことが好ましい。このような態様とすれば、それぞれのドット記録モードに応じた調整値に基づいて、主走査方向のドット形成位置ずれを調整することができる。
【００１１】
また、以下のようにして調整値を定めることができる。第１のドット記録モードにおいて使用するインク滴のうち少なくとも一種類のインク滴を使用して第１の位置ずれ検査用パターンを印刷媒体上に印刷する。また、少なくとも最も重量の小さいインク滴を使用して第２の位置ずれ検査用パターンを印刷媒体上に印刷する。そして、印刷された第１および第２の位置ずれ検査用パターンに基づいて、ユーザが、第１の調整値および第２の調整値を決定する。そして、第１の調整値および第２の調整値に基づいて、ドット形成位置ずれの調整が行われる。このような態様とすれば、実際に印刷媒体上に印刷した結果に基づいて、調整値を定めることができる。なお、第２の位置ずれ検査用パターンを印刷媒体上に印刷する際には、第２のドット記録モードにおいて使用するインク滴のうち少なくとも一種類のインク滴であって、第１の位置ずれ検査用パターンを印刷したインク滴以外のインク滴を使用して第２の位置ずれ検査用パターンを印刷する態様としてもよい。
【００１２】
なお、第２の位置ずれ検査用パターンを印刷する際には、第１の位置ずれ検査用パターンを印刷する際に最も多く使用する第１の種類のインク滴とは異なる第２の種類のインク滴を最も多く使用して、第２の位置ずれ検査用パターンを印刷することが好ましい。第１の位置ずれ検査用パターンと第２の位置ずれ検査用パターンとで、最も多く使用するインク滴の種類を変えれば、それぞれ異なる種類のインク滴の特質を反映した検査用パターンを印刷することができる。その結果、第１の調整値と第２の調整値とを、互いに異なる種類のインク滴についてのドット形成位置ずれを少なくするように、定めることができる。
【００１３】
なお、印刷装置は、第１の調整値および第２の調整値を記憶する不揮発性メモリを備える態様とすることができる。このような態様とすれば、一度調整値を定めてそれを不揮発性メモリに記憶させれば、その後、その調整値を使用して繰り返し印刷を行うことができる。また、必要に応じて、調整値を設定し直して、不揮発性メモリに記憶させることもできる。
【００１４】
なお、印刷データを生成する際には、第１のドット記録モードと、第２のドット記録モードと、のいずれで印刷を実行すべきかを示すコマンドを、その印刷データ中に含ませることが好ましい。このような態様とすれば、印だつデータのみに基づいて、いずれのドット記録モードで印刷を行うべきかを決定することができる。
【００１５】
また、前述の印刷装置に供給する印刷データを生成する印刷制御装置は、印刷装置に印刷させる画像を表す画像データであって、印刷データに含まれる画像データを生成する画像データ生成部と、印刷データに含まれるモード識別コマンドを生成するモード識別コマンド生成部と、を備えることが好ましい。このモード識別コマンドは、第１のドット記録モードと第２のドット記録モードとを含む複数のドット記録モードのうちのいずれのドット記録モードで画像データを印刷すべきかを示すコマンドである。このような態様とすれば、印刷装置は、印刷データに基づいて、その中に含まれる画像データを印刷するドット記録モードを特定することができる。
【００１６】
なお、本発明は、以下に示すような種々の態様で実現することが可能である。
（１）調整値決定方法、印刷方法、印刷制御方法。
（２）印刷装置、印刷制御装置。
（３）上記の装置や方法を実現するためのコンピュータプログラム。
（４）上記の装置や方法を実現するためのコンピュータプログラムを記録した記録媒体。
（５）上記の装置や方法を実現するためのコンピュータプログラムを含み搬送波内に具現化されたデータ信号。
【発明を実施するための最良の形態】
【００１７】
次に、本発明の実施の形態を実施例に基づいて以下の順序で説明する。
Ａ．実施形態の概要：
Ｂ．第１実施例：
Ｂ１．装置の構成：
Ｂ２．ヘッド駆動回路の構成及び処理：
Ｂ３．低解像度モードと高解像度モード：
Ｂ４．ノズル列間の記録位置ずれの発生：
Ｂ５．調整値の決定：
Ｂ６．調整値によるドット形成位置ずれの調整：
Ｃ．第２実施例：
Ｄ．第３実施例：
Ｅ．変形例：
【００１８】
Ａ．実施形態の概要：
図１は、本発明の印刷の流れを示すフローチャートである。このプリンタは、複数のパルスを含む原駆動信号に基づいて３種類の駆動信号を生成することができる。そして、その３種類の駆動信号に基づいて重量の異なる３種類のインク滴を吐出して、印刷用紙上に大きさの異なる大ドット、中ドット、小ドットを形成することができる。
【００１９】
このプリンタは、印刷について、低解像度モードと高解像度モードとを有する。ステップＳ４に示す低解像度モードにおいては、比較的重量の大きい大インク滴および中インク滴を印刷用紙に向けて吐出して、大ドット、中ドットのみで印刷を行う。そして、印刷用紙上の各主走査ラインを、互いのインク滴の着弾位置をずらした２回の主走査で記録する。これに対して、ステップＳ６に示す高解像度モードにおいては、比較的重量の小さい小インク滴および中インク滴を印刷用紙に向けて吐出して、小ドット、中ドットのみで印刷を行う。そして、印刷用紙上の各主走査ラインを、それぞれインク滴の着弾位置をずらした４回の主走査で記録する。その結果、高解像度モードにおける主走査方向の画素の大きさは、低解像度モードにおける主走査方向の画素の大きさの１／２となる。このような態様とすれば、一つの原駆動波形に基づいて解像度の異なる２種類の印刷を行うことができる。
【００２０】
低解像度モードにおいては、第１の調整値を用いて主走査方向のドット形成位置ずれを調整する。高解像度モードにおいては、第２の調整値を用いて主走査方向のドット形成位置ずれを調整する。このような態様とすれば、それぞれの解像度に応じて適切な調整値を使用して、高品質な印刷を行うことができる。
【００２１】
Ｂ．第１実施例：
Ｂ１．装置の構成：
図２は、プリンタ２０を含むコンピュータシステムの全体構成を示す説明図である。このコンピュータシステムは、プリンタ２０と、プリンタ２０が接続されているホストコンピュータ１００と、ホストコンピュータ１００に接続されている液晶ディスプレイ１１０と、同じくホストコンピュータ１００に接続されているキーボード１２０と、マウス１３０を備えている。ユーザは、液晶ディスプレイ１１０に出力された表示を見て、キーボード１２０、マウス１３０を操作して、自らの意志決定の結果をコンピュータ１００に入力する。なお、このコンピュータシステム全体が、特許請求の範囲にいう「印刷装置」に相当する。そして、コンピュータ１００のＣＰＵ１０２が所定のプログラムを実行することによって、印刷データが生成される。すなわち、ＣＰＵ１０２が所定のプログラムを実行することで、コンピュータ１００が「印刷制御装置」として機能する。
【００２２】
図３は、インクジェットプリンタ２０の概略構成図である。このプリンタ２０は、紙送りモータ２２によって印刷用紙Ｐを副走査方向に搬送する副走査送り機構と、キャリッジモータ２４によって印刷用紙Ｐの搬送方向に垂直な方向（主走査方向）にキャリッジ３０を往復動させる主走査送り機構と、キャリッジ３０に搭載された印刷ヘッドユニット６０を駆動してインクの吐出およびドット形成を制御するヘッド駆動機構と、これらの紙送りモータ２２，キャリッジモータ２４，印刷ヘッドユニット６０および操作パネル３２との信号のやり取りを司る制御回路４０とを備えている。制御回路４０は、コネクタ５６を介してコンピュータ１００に接続されている。なお、図３では、コンピュータ１００およびディスプレイ１１０は、簡略化した表示とし、キーボード１２０、マウス１３０などの入力装置は図示を省略している。
【００２３】
印刷用紙Ｐを搬送する副走査送り機構は、紙送りモータ２２の回転を用紙搬送ローラ（図示せず）に伝達するギヤトレインを備える（図示せず）。また、キャリッジ３０を往復動させる主走査送り機構は、主走査方向に架設されキャリッジ３０を摺動可能に保持する摺動軸３４と、キャリッジモータ２４との間に無端の駆動ベルト３６を張設するプーリ３８と、キャリッジ３０の原点位置を検出する位置センサ３９とを備えている。
【００２４】
図４は、制御回路４０を中心としたプリンタ２０の構成を示すブロック図である。制御回路４０は、ＣＰＵ４１と、プログラマブルＲＯＭ（ＰＲＯＭ）４３と、ＲＡＭ４４と、文字のドットマトリクスを記憶したキャラクタジェネレータ（ＣＧ）４５とを備えた算術論理演算回路として構成されている。この制御回路４０は、さらに、外部のモータ等とのインタフェースを専用に行なうＩ／Ｆ専用回路５０と、このＩ／Ｆ専用回路５０に接続され印刷ヘッドユニット６０を駆動してインクを吐出させるヘッド駆動回路５２と、紙送りモータ２２およびキャリッジモータ２４を駆動するモータ駆動回路５４と、を備えている。ＰＲＯＭ４３は、ＥＥＰＲＯＭである。Ｉ／Ｆ専用回路５０は、パラレルインタフェース回路を内蔵しており、コネクタ５６を介してコンピュータ１００から供給される印刷信号ＰＳを受け取ることができる。なお、図４においても、図３と同様、コンピュータ１００等については簡略化した表示を行っている。
【００２５】
図５は、印刷ヘッド２８に設けられた複数列のノズルを示す説明図である。このプリンタ２０は、ブラック（Ｋ）、濃シアン（Ｃ）、淡シアン（ＬＣ）、濃マゼンタ（Ｍ）、淡マゼンタ（ＬＣ）、イエロ（Ｙ）の６色のインクを用いて印刷を行う印刷装置であり、各インク用のノズル列をそれぞれ備えている。なお、濃シアンと淡シアンとは、ほぼ同じ色相を有し、濃度が異なるシアンインクである。濃マゼンタインクと淡マゼンタインクも同様である。これらの各ノズル列を、「単一色ノズル群」と表記する場合がある。
【００２６】
Ｂ２．ヘッド駆動回路の構成及び処理：
図６は、ヘッド駆動回路５２の構成を示すブロック図である。このヘッド駆動回路５２は、複数のマスク回路２０４と、原駆動信号発生部２０６と、駆動信号補正部２３０とを備えている。マスク回路２０４は、印刷ヘッドユニット６０のノズルｎ１〜ｎ４８をそれぞれ駆動するための４８個のピエゾ素子（図示せず）に対応して設けられている。なお、図６において、各信号名の最後に付されたかっこ内の数字は、その信号が供給されるノズルの番号を示している。
【００２７】
原駆動信号発生部２０６は、ノズルｎ１〜ｎ４８に共通に用いられる原駆動信号ＯＤＲＶを生成する。この原駆動信号ＯＤＲＶは、一画素分の主走査期間内に、小ドットパルスＷ１と中ドットパルスＷ２と大ドットパルスＷ３の３つのパルスを含む信号である。
【００２８】
Ｉ／Ｆ専用回路５０を通じて入力されたシリアル印刷信号ＰＲＴ（ｉ）は、図６に示すように、原駆動信号発生部２０６から出力される原駆動信号ＯＤＲＶとともにマスク回路２０４に入力される。マスク回路２０４は、シリアル印刷信号ＰＲＴ（ｉ）のレベルに応じて原駆動信号ＯＤＲＶをマスクするためのゲートである。すなわち、マスク回路２０４は、シリアル印刷信号ＰＲＴ（ｉ）が１レベルにある時間区間については原駆動信号ＯＤＲＶの対応するパルスをそのまま通過させて駆動信号ＤＲＶとしてピエゾ素子に供給し、一方、シリアル印刷信号ＰＲＴ（ｉ）が０レベルにある時間区間については、原駆動信号ＯＤＲＶの対応するパルスを遮断する。
【００２９】
駆動信号補正部２３０は、マスク回路２０４が整形した駆動信号波形のタイミングを復路全体で前後にずらし、補正を行う。この駆動信号波形のタイミングの補正によって、往路と復路におけるインク滴の着弾位置のズレが補正される。
【００３０】
図７は、１画素区間分の原駆動信号および駆動信号を示す説明図である。図７（ａ）は、１画素区間分の原駆動信号を示している。印刷の際には、図７（ａ）に示すように、原駆動信号ＯＤＲＶのパルスとして、各画素区間において小ドットパルスＷ１、中ドットパルスＷ２、大ドットパルスＷ３がこの順に発生する。なお、「画素区間」は、一画素分の主走査期間と同じ意味である。前述したように、マスク回路２０４（図６参照）は、シリアル印刷信号ＰＲＴ（ｉ）が１レベルのときには原駆動信号ＯＤＲＶのパルスをそのまま通過させ、シリアル印刷信号ＰＲＴ（ｉ）が０レベルのときには原駆動信号ＯＤＲＶのパルスを遮断する。
【００３１】
小インク滴Ｉｐｓを吐出する駆動波形を生成する際には、図７（ｂ）に示すように、原駆動波形ＯＤＲＶのＷ２の両側のパルスをマスクして駆動波形を形成する。なお、図７（ｂ）のＷ４の部分は、マスク回路がハイインピーダンス状態になると、ピエゾ素子がほぼ一定の電圧に保たれることを示している。このようになる理由は、ピエゾ素子がコンデンサとして機能するからである。また、中インク滴Ｉｐｍを吐出する駆動波形を生成する際には、図７（ｃ）に示すように、原駆動波形ＯＤＲＶのＷ１の両側のパルスをマスクして駆動波形を形成する。大インク滴Ｉｐｂを吐出する駆動波形を生成する際には、図７（ｄ）に示すように、Ｗ３に先立つパルスをマスクして駆動波形ＯＤＲＶを形成する。本実施例においては、大中小の各ドットは、大中小の各インク滴によってそれぞれ形成される。大中小の各インク滴の吐出タイミングは、中インク滴Ｉｐｍ、小インク滴Ｉｐｓ、大インク滴Ｉｐｂの順に早いので、一画素内での着弾位置は、図７（ｂ）〜（ｄ）の右側に示すように、ヘッドの移動方向の後方から前方に向けて中インク滴Ｉｐｍ、小インク滴Ｉｐｓ、大インク滴Ｉｐｂの順になる。なお、図７（ｂ）〜（ｄ）の右側に記されている四角は、低解像度モードにおける画素である。また、画素の下には、ヘッドの移動方向を矢印で示している。
【００３２】
これらの各ドットに対応した各駆動信号波形は、主走査の往路であっても復路であっても同じものが用いられる。すなわち、一画素区間内に１ノズルから吐出される小インク滴Ｉｐｓ、中インク滴Ｉｐｍ、大インク滴Ｉｐｂは、往路と復路で同じ順序で吐出される。ただし、各主走査において駆動信号波形を生成するタイミングは、復路全体で駆動信号補正部２３０（図６参照）によって前後にずらされ、補正される。このタイミングの補正によって、復路全体でインク滴の着弾位置が意図的にずらされて、往路と復路におけるインク滴の着弾位置のズレが補正される。タイミングをどの程度ずらすかを定める補正値の決定の方法については後述する。
【００３３】
Ｂ３．低解像度モードと高解像度モード：
図１を用いて、本発明の印刷の流れを説明する。プリンタ３２は、印刷について、低解像度モードと高解像度モードとを有する。プリンタ２０のＣＰＵ４１は、ステップＳ２で、印刷データ中のコマンドに基づいて、低解像度モードで印刷を行うか高解像度モードで印刷を行うかを選択する。なお、コンピュータ１００のＣＰＵ１０２が、プリンタドライバ１０２ａを実行することによって印刷データを生成する。その際、ＣＰＵ１０２は、画像データ生成部と１０２ｂして機能して、アプリケーションソフトから受け取った画像データをプリンタ２０が印刷できる形式に変換する。また、ＣＰＵ１０２は、モード識別コマンド生成部１０２ｃとして機能し、画像データを低解像度モードで印刷するか高解像度モードで印刷するかを示すコマンドを生成して印刷データ中に組み込む。これらＣＰＵ１０２の機能部を図２に示す。
【００３４】
ステップＳ４の低解像度モードにおいては、所定の速さで印刷ヘッドの往復動を行いつつ、比較的重量の大きい大インク滴Ｉｐｂと中インク滴Ｉｐｍを印刷用紙に向けて吐出して、中ドット、大ドットのみで印刷を行う。これに対して、ステップＳ６の高解像度モードにおいては、低解像度モードと同じ速さで印刷ヘッドの往復動を行いつつ、比較的重量の小さい中インク滴Ｉｐｍと小インク滴Ｉｐｓを印刷用紙に向けて吐出して、小ドット、中ドットのみで印刷を行う。
【００３５】
図８は、低解像度モードにおける主走査ラインの記録のし方を示す説明図である。図８において左右方向に並ぶ桝目は、低解像度モードにおける画素を表している。これら左右に並ぶ画素によって１本の主走査ラインが構成される。図８においては、各画素には左端から順に番号が振られている。低解像度モードにおいては、１本の主走査ラインは往路と復路の２度の主走査で記録される。例えば、図８（ａ）に示すように、主走査の往路においては、奇数番号の画素にドットの記録が行われる。そして、主走査の復路においては、図８（ｂ）に示すように、偶数番号の画素にドットの記録が行われる。なお、各画素の下に示す数字は、その主走査ラインにドットを記録する主走査の番号を示す。そして、右向きの矢印が、その主走査が往路であることを示し、左向きの矢印が、その主走査が復路であることを示す。
【００３６】
図９は、高解像度モードにおける主走査ラインの記録のし方を示す説明図である。図９において、実線で表された桝目は高解像度モードにおける画素を表している。そして、破線で表された桝目は、低解像度モードにおける画素を表している。高解像度モードにおける画素の主走査方向についての大きさは、低解像度モードにおける画素の主走査方向についての大きさの１／２である。高解像度モードにおいては、１本の主走査ラインは往路２回、復路２回の４回の主走査で記録される。最初の主走査においては、図９（ａ）に示すように、１、５など、４で割って１余る番号の画素にドットの記録が行われる。そして、次の主走査においては、図９（ｂ）に示すように、２、６など、４で割って２余る番号の画素にドットの記録が行われる。３回目の主走査においては、図９（ｃ）に示すように、３、７など、４で割って３余る番号の画素にドットの記録が行われる。４回目の主走査においては、図９（ｄ）に示すように、４、８など、４で割り切れる番号の画素にドットの記録が行われる。なお、各画素の下に矢印で示すように、１回目と３回目の主走査は往路であり、２回目と４回目の主走査は復路である。
【００３７】
低解像度モードと高解像度モードとにおいては、同じ原駆動信号が使用される。このため、主走査において各画素に対応するインク滴が吐出される時間間隔は同じである。すなわち、１度の主走査で記録できるドットの最短の間隔は、低解像度モードと高解像度モードとにおいて等しい。低解像度モードでは、往路でドットを記録したあと（図８（ａ）参照）、「一度の主走査で各ドットを記録することができるドット間隔」の半分だけ着弾位置がずれるように駆動信号をずらして、復路において各ドットを記録する（図８（ｂ）参照）。これに対して、高解像度モードでは、最初の主走査を行ったあとの各主走査において、それぞれ「一度の主走査で各ドットを記録することができるドット間隔」の１／４、２／４、３／４だけ着弾位置がずれるように駆動信号をずらして、ドットを記録する（図９（ｂ）〜（ｄ）参照）。このようにして、低解像度モードでは、「一度の主走査で記録できるドットの最短の間隔」の１／２の間隔でドットを記録し、高解像度モードでは、「一度の主走査で記録できるドットの最短の間隔」の１／４の間隔でドットを記録する。こうして、同じ原駆動信号を使用して解像度の異なる印刷が実現される。
【００３８】
なお、第１実施例において、低解像度モードでは２回の主走査で１本の主走査ラインを記録し、高解像度モードでは、４回の主走査で１本の主走査ラインを記録した。しかし、低解像度モードでは１回の主走査で１本の主走査ラインを記録し、高解像度モードでは、６回の主走査で１本の主走査ラインを記録する態様とすることもできる。すなわち、低解像度モードにおいて、ｎ回（ｎは１以上の整数）の主走査で一つの主走査ライン内のすべての画素にドットを記録し、高解像度モードにおいて、ｍ回（ｍはｎより大きい整数）の主走査で一つの主走査ライン内のすべての画素にドットを記録することができる態様とすることができる。なお、第１実施例では、低解像度モード一つと高解像度モード一つの合計二つの解像度モードを有する態様としたが、３以上の解像度モードを有する態様とすることもできる。
【００３９】
Ｂ４．ノズル列間の記録位置ずれの発生：
プリンタ２０は、調整値を用いて双方向印刷時の記録位置ずれを調整する。そこで、調整値の決定について説明する前に、以下ではまず、双方向印刷時の記録位置ずれの発生について説明する。なお、「双方向印刷」とは、主走査を双方向に行いつつ、主走査の往路と復路の両方において印刷媒体上にドットを形成し、画像を印刷する印刷方式である。これに対して、主走査の往路と復路のうちの一方においてのみ印刷媒体上にドットを形成し、画像を印刷する印刷方式を「単方向印刷」という。
【００４０】
図１０は、双方向印刷時の位置ずれを示す説明図である。図１０（ａ）は、往路の印刷時のドットの着弾位置を示す説明図であり、図１０（ｂ）は、復路の印刷時のドットの着弾位置を示す説明図である。ノズルｎは、印刷用紙Ｐの上方において双方向に水平に移動しており、往路と復路においてそれぞれインクを吐出することによって印刷用紙Ｐ上にドットを形成する。インクは、鉛直下方に向けて吐出速度Ｖｋで吐出されるものと仮定している。各インクの合成速度ベクトルＣＶｋは、下方への吐出速度ベクトルと、ノズルｎの主走査速度ベクトルＶｓとを合成したものとなる。したがって、主走査の往路と復路において、印刷用紙Ｐと印刷ヘッド２８（ノズルｎ）とが同じ位置関係にあるときにインク滴を吐出したのでは、インク滴の印刷媒体上への着弾位置がずれてしまう。そこで、インク滴の印刷媒体上への着弾位置が一致するように、主走査の往路と復路でインク滴の吐出タイミングが調整される。
【００４１】
図１０においては、往路と復路とで、インク滴吐出時のノズルの位置に対してドット形成位置ずれがほぼ対称となっている。しかし、主走査方向の駆動機構のバックラッシュや、印刷媒体を下で支えているプラテンの反りなど、往路と復路とでずれが対称とはならないような要素も存在する。そのような要素に起因するドット形成位置ずれを吸収するためにも、主走査の往路と復路でインク滴の吐出タイミングを調整することが好ましい。
【００４２】
Ｂ５．調整値の決定：
（１）低解像度モード用の調整値の決定：
図１１は、低解像度モード用の位置ずれ検査用罫線パターンの例を示す説明図である。低解像度モード用の調整値を決定する際には、位置ずれ検査用罫線パターンＴ１０を印刷する。この位置ずれ検査用罫線パターンＴ１０は、ブラックノズル列Ｋ（図５参照）を用いて往路と復路でそれぞれ印刷された複数の縦罫線で構成されている。各罫線を印刷する際には、中ドットのみが使用される。往路では一定の間隔で縦罫線Ｔ１１を記録しているが、復路では、縦罫線Ｔ１２の主走査方向の位置を１／１４４０インチ単位で順次ずらしている。この結果、印刷用紙Ｐ上には、往路の縦罫線Ｔ１１と復路の縦罫線Ｔ１２との相対位置が１／１４４０インチずつずれていくような複数組の縦罫線対Ｔ１が印刷される。各縦罫線対のずらし量は、低解像度モード用の調整値の候補、すなわち「調整候補値」に相当する。複数組の縦罫線対Ｔ１の下には、ズレ調整番号の数字が印刷される。ズレ調整番号は、好ましい補正状態を示す補正情報としての機能を有する。ここで、「好ましい補正状態」とは、往路または復路における記録位置（または記録タイミング）を適切な調整値で補正したときに、往路と復路でそれぞれ形成されたドットの主走査方向の位置がほぼ一致するような状態をいう。なお、図１１の例では、ズレ調整番号が４である縦罫線対が、好ましい補正状態を示している。
【００４３】
これらの位置ずれ検査用罫線パターンＴ１０は、コンピュータ１００から送られてくる印刷データに基づいて、ＣＰＵ４１が各部を制御して印刷する。そして、その印刷データは、印刷モード（低解像度モード、高解像度モード）に応じて、コンピュータ１００のＣＰＵ１０２が選択する。後述する高解像度モード用の位置ずれ検査用パターンの印刷についても同様である。ＣＰＵ１０２の機能部としてのパターン形成部１０２ｄを図２に示し、ＣＰＵ４１の機能部としてのパターン形成部４１ａを図４に示す。
【００４４】
図１２は、コンピュータに調整値を入力する際のユ−ザインターフェイス画面を示す説明図である。ユーザは、この位置ずれ検査用罫線パターンＴ１０を観察して、最もずれの少ない縦罫線対を選択する。そして、そのズレ調整番号を、プリンタドライバ１０２ａが表示するユーザーインターフェイス画面を通じて、キーボード１２０、マウス１３０で入力する。図１２の例では、マウス１３０を使用してカーソルＣＳでズレ調整番号４を選択する。このズレ調整番号は、プリンタ２０内のＰＲＯＭ４３（図４参照）に格納される。ただし、ズレ調整番号は、操作パネル３２（図２、図４参照）を通じて入力される態様とすることもできる。
【００４５】
なお、ズレ調整番号を入力する際のユーザーインターフェースは、ここで示したような態様に限られるものではない。すなわち、印刷された位置ずれ検査用パターンに応じてユーザによって決定された、主走査方向のドット位置ズレに関する好ましい補正状態を示す調整値を受け取ることができるものであれば、他の態様であってもよい。なお、プリンタドライバ１０２の機能部としてのユーザーインターフェイス部１０２ｅを図２に示す。
【００４６】
上記のように決定した調整値を使用して文章や表を印刷すれば、中ドットおよび大ドットを使用する低解像度モードにおいて、主走査方向のがたつきの少ない高品質な文字や線を印刷できる。なお、上記の検査用パターンは、中ドットのみを使用して印刷されるため、選択された調整値は大ドットのドット形成位置ずれを考慮して定められてはいない。しかし、大ドットは所定の領域を塗りつぶす場合などに使用されるため、多少ドット形成位置がずれても印刷の品質に大きく影響することはない。一方、低解像度モードにおいては、文字、表、グラフなどを印刷する際には、中ドットが使用される。このため、中ドットのドット形成位置が好ましい位置からずれた場合には、印刷結果の品質への影響が大きい。
【００４７】
なお、ここでは、ブラックインクを使用して罫線を印刷したが、他の色で文字や図形を印刷する場合には、マウス、キーボードなどの入力機器を通じてユーザからそのインクを指定されて、そのインクを使用して罫線を印刷して調整値を定めることができる。また、副走査方向上流側の罫線と下流側の罫線と異なるインクで形成すれば、それら２色のインクについてドット形成位置ずれを小さくする調整値を、短時間で定めることができる。
【００４８】
（２）高解像度モード用の調整値の決定：
図１３は、高解像度モード用の位置ずれ検査用パターンＴ２０の一例を示す模式図である。高解像度モード用の調整値を決定する際には、プリンタ２０を用いて高解像度モード用の位置ずれ検査用パターンが印刷される。この位置ずれ検査用パターンＴ２０は、淡シアン、淡マゼンタ、イエロの各ノズル列を用いて往路と復路の両方を使ってそれぞれ印刷された複数のグレーパッチＴ２１〜Ｔ２５で構成されている。各パッチを印刷する際には、各色について、中ドットと小ドットが使用される。各グレーパッチは等しい色を再現するものである。なお、図１３においては、各パッチは比較的大きなドットの集合として描かれているが、実際には、目にははっきりと見えない程度の大きさのドットで形成される。また、「グレーパッチ」という用語は、このパッチが人の目に常に「グレー」の色に見えることを意味するものではな。すなわち、ドットの位置ずれ状態によっては他の色に見えることもある。このグレーパッチＴ２１〜Ｔ２５が、特許請求の範囲にいう「カラーパッチ」に相当する。
【００４９】
各パッチを構成する各色のドットは、往路では各パッチについて主走査方向の一定の位置に記録されるが、復路では、各パッチごとに主走査方向の位置を１／２８８０インチ単位で順次ずらした位置に記録される。なお、各パッチを構成する各色のドットは、復路において共通のずらし量でずらされる。この結果、印刷用紙Ｐ上には、往路で形成されるドットと復路で形成されるドットとの相対位置が１／２８８０インチずつずれていくような複数のグレーパッチＴ２１〜Ｔ２５が印刷される。各グレーパッチの往路と復路のドットのずらし量が、高解像度モードにおける調整値の候補である「調整候補値」である。グレーパッチＴ２１〜Ｔ２５の左側には、図１３に示すように、ズレ調整番号の数字が印刷される。ズレ調整番号は、好ましい補正状態を示す補正情報としての機能を有する。ここで、「好ましい補正状態」とは、往路または復路における記録位置（または記録タイミング）を適切な調整値で補正したときに、グレーパッチのざらつきがもっとも少なくなる状態をいう。したがって、好ましい補正状態は、適切な調整値によって実現される。
【００５０】
図１３の例では、「３」の数字が付されたグレーパッチＴ２３を中心としてズレ調整番号が１から５までの５個のグレーパッチＴ２１〜Ｔ２５が示されている。そして、図１３では、ズレ調整番号が４であるグレーパッチＴ２４が、最もざらつきが少なく好ましい補正状態を示している。したがって、ユーザは、１から５までのズレ調整番号の中からズレ調整番号「４」をコンピュータ１００に入力する。その際のユーザーインターフェイス画面は、ズレ調整番号の選択肢が異なる以外は、図１２と同様である。そして、「低解像度モード」の場合と同様に、ズレ調整番号「４」がプリンタ２０内のＰＲＯＭ４３（図４参照）に格納される。
【００５１】
なお、これらのグレーパッチＴ２１〜Ｔ２５は、互いに等しい色を再現するものであり、同一の印刷データに基づいて形成される。グレーパッチＴ２１〜Ｔ２５のもととなる印刷データは、一様な濃度の画素の集合を表すカラー画像データを、複数のインク色のドットの記録状態を表すデータに変換したものである。この印刷データは、コンピュータ１００内のハードディスク（記憶部）に格納されている。また、各グレーパッチＴ２１〜Ｔ２５は、実際の印刷で行われる副走査送りパターンで印刷される。
【００５２】
上記のようにグレーパッチを使用して調整値を決定すれば、その調整値は、淡シアン、淡マゼンタ、イエロについて好ましい調整値となる。そして、上記グレーパッチは小ドットおよび中ドットを使用して印刷されるので、決定された調整値は、小ドットおよび中ドットを使用する高解像度モードに関して最適な値となる。その結果、この調整値を使用して印刷を行えば、人間の肌などの中間色を印刷する際に粒状感（ざらつき）の少ない高品質な印刷を行うことができる。また、淡シアン、淡マゼンタ、イエロは特に粒状感が目立ちやすいので、これらの色について粒状感の少ない調整値を決定することができる結果、画像全体について比較的高品質な印刷を行うことができる。
【００５３】
なお、この実施例においては、グレーパッチの印刷は、淡シアンと淡マゼンタとイエロのインクで行ったが、使用するインクはこの組み合わせに限られるものではない。すなわち、カラー印刷において使用する有彩色インクが、マゼンタ、シアン、イエロの３色である場合は、その３色のインクを使用してグレーパッチの印刷を行うことができる。さらに、カラー印刷において使用する有彩色インクが、濃マゼンタ、濃シアン、イエロ、淡マゼンタ、淡シアンの５色である場合にも、イエロ、淡マゼンタ、淡シアンの３色に限らず、他の組み合わせのインクを使用してパッチを印刷してもよい。すなわち、印刷するカラーパッチは、それぞれ２種類以上のインクのドットを用いて形成された、互いに等しい色を再現するカラーパッチであれば、どのような色の組み合わせのものでもよい。
【００５４】
Ｂ６．調整値によるドット形成位置ずれの調整：
図１４は、印刷時のずれ補正に関連する主要な構成を示すブロック図である。プリンタ２０内のＰＲＯＭ４３には、調整番号格納領域２０２と、調整値テーブル２０５とが設けられている。
【００５５】
調整番号格納領域２０２には、好ましい調整値を示すズレ調整番号が格納されている。調整値テーブル２０５は、図１１および図１３に示した位置ずれ検査用パターンにおける復路のドット記録位置のずれ量（すなわち調整値）とズレ調整番号との関係を格納したテーブルである。位置ずれ補正実行部２１０は、調整値テーブル２０５から調整値を読み出して、その調整値で復路におけるドット形成位置を補正する。具体的には、位置ずれ補正実行部２１０は、位置センサ３９からキャリッジの原点位置の情報を受け取り、それに基づいてキャリッジの位置を計算する。そして、適切なキャリッジ位置（タイミング）でアクチュエータチップ９１〜９３がインク滴を吐出するよう、ヘッド駆動回路５２の駆動信号補正部２３０を制御する。
【００５６】
前述したように、高解像度モードにおいては、調整値は、主走査方向の１／２８８０インチの整数倍に設定されているので、この記録位置（すなわち記録タイミング）も主走査方向の１／２８８０インチの単位で調整される。また、低解像度モードにおいては、調整値は、主走査方向の１／１４４０インチの整数倍に設定されているので、記録位置も主走査方向の１／１４４０インチの単位で調整される。また、ここでは復路で印刷されるドットを最小で１／２８８０インチずつずらして形成したが、各罫線、パッチ（図１１および図１３参照）を構成するドットをより細かい単位でずらしていくこととすれば、補正値もその単位の整数倍で設定することができる。すなわち、復路で印刷するドット位置のずらしの刻みを細かく設定すれば、より微妙な範囲で補正値を定めることができる。この刻みの最小値は、プリンタの制御上の制約によって決まる。
【００５７】
以上に説明したように、本実施例によれば、実際にプリンタで印刷する印刷モードに対応する位置ずれ検査用パターンを実際に印刷し、その印刷結果に基づいて、適切な調整値を決定することができる。そして、その調整値に基づいて、各印刷モードにおいて、主走査方向におけるドット形成位置ずれを補正することができる。
【００５８】
Ｃ．第２実施例：
図１５は、他の態様における印刷時のずれ補正に関連する主要な構成を示すブロック図である。このブロック図の構成は、ヘッド駆動回路およびアクチュエータチップの構成以外は、図１４のブロック図と同じである。この印刷装置は、淡マゼンタとイエロのノズル列を駆動するアクチュエータチップ９３用に、他のアクチュエータチップとは別の独立のヘッド駆動回路５２ｃを有している。このため、淡マゼンタＬＭとイエロＹのインクの吐出タイミングを、他の色のインクに対してずらすことができる。他の点は、図１４の印刷装置と同じである。
【００５９】
図１４の印刷装置では、往路と復路におけるドット形成位置ずれの補正のみを行ったが、図１５に示すような印刷装置においては、単方向印刷時の淡シアンＬＣと濃マゼンタＭのドットの形成位置を、他のインクのドットの形成位置に対して調整することができる。そのような調整を行うための調整値を定めるには、次のようにする。すなわち、図１３に示す位置ずれ検査用パターンの形成の際に、各パッチを主走査の往路または復路のみで形成する。そして、各パッチや画像片ごとに淡シアンＬＣと濃マゼンタＭのドットの形成位置を少しずつ変えながら、パターンを形成する。その結果、最も印刷結果の品質のよいパッチや画像片を選択する。このような態様とすれば、単方向印刷時の各色のドットの形成位置ずれを調整することができるため、より印刷結果の品質を高めることができる。
【００６０】
Ｄ．第３実施例：
第１実施例では、低解像度モードでは２パスで主走査ライン１本を記録し、高い解像度モードでは４パスで主走査ライン１本を記録していた。しかし、１本の主走査ラインを記録する際のパス数を、低解像度モードと高解像度モードとで等しくすることもできる。第３実施例では、低解像度モード、高解像度モードともに２パスで１本の主走査ラインを記録する態様について説明する。第３実施例のプリンタは、原駆動信号の周期を変えられるようなヘッド駆動回路を備える。それ以外のハードウェア構成については、第１実施例と同様である。
【００６１】
図１６は、各印刷モードにおける画素と原駆動信号ＯＤＲＶの関係を示した説明図である。図１６（ａ）〜（ｃ）において左右方向に並んでいる四角は、画素を表している。図１６（ａ）は、高解像度モードにおける画素と原駆動信号ＯＤＲＶの関係を示した説明図である。第３実施例においては、高解像度モードにおけるキャリッジの搬送速度は、低解像度モードにおけるキャリッジの移動速度の１／２である。高解像度モードにおける原駆動信号ＯＤＲＶの１周期の長さをＴｐとする。時間Ｔｐの間にキャリッジが移動する距離をＶｓｈとする。主走査においては、時間Ｔｐの間に大中小いずれかのインク滴を１個吐出することができるので、ドットの最短の間隔は、図１６（ａ）下段に示すように、Ｖｓｈである。なお、ここでは、大中小の各ドットの着弾位置のずれ（図７（ｂ）〜（ｄ））は無視するものとする。
【００６２】
復路においては、往路で記録されたドットの間にそれぞれドットが記録される。そして、往路と復路の２回の主走査によって、主走査ラインの全ての画素にドットを記録することができる。よって、高解像度モードにおいては、画素ピッチはＶｓｈ／２である。往路においては、図１６（ａ）に示すように、主走査ライン中の一つおきの画素にドットを記録することになる。
【００６３】
図１６（ｂ）は、第１の低解像度モードにおける画素と原駆動信号ＯＤＲＶの関係を示した説明図である。前述の通り、低解像度モードにおけるキャリッジの搬送速度は、高解像度モードにおけるキャリッジの移動速度の２倍である。このため、時間Ｔｐの間にキャリッジが移動する距離をＶｓｌとすると、ＶｓｌはＶｓｈの２倍である。駆動回路５２は、時間Ｔｐの間に大中小いずれかのインク滴を１個吐出することができるので、駆動回路５２は、区間Ｖｓｌ内に１個のドットを記録することができる。このため、第１の低解像度モードにおいて記録できるドットの最短の間隔は、図１６（ｂ）下段に示すように、Ｖｓｌとなる。
【００６４】
なお、復路においては、往路で記録されたドットの間にそれぞれドットが記録される。そして、往路と復路の２回の主走査によって、主走査ラインの全ての画素にドットを記録することができる。よって、第１の低解像度モードにおいては、画素ピッチはＶｓｌ／２、すなわちＶｓｈである。高解像度モードにおける画素ピッチはＶｓｈ／２であったので、第１の低解像度モードにおける画素ピッチは、高解像度モードにおける画素ピッチの２倍である。すなわち、第１の低解像度モードの記録密度は高解像度モードの１／２である。このような態様としても、同一の原駆動信号ＯＤＲＶに基づいて解像度の異なる印刷を実現することができる。
【００６５】
図１６（ｃ）は、第２の低解像度モードにおける画素と原駆動信号ＯＤＲＶの関係を示した説明図である。第２の低解像度モードにおいては、第１の低解像度モードと同様、キャリッジの搬送速度は、高解像度モードにおけるキャリッジの移動速度の２倍である。一方、第２の低解像度モードにおいては、原駆動信号ＯＤＲＶ２の周期をＴｐの１／２倍のＴｐ２としている。このため、駆動回路５２は、区間Ｖｓｌ内に２個のドットを記録することができる。しかし、第２の低解像度モードにおいては、図１６（ｃ）に示すように、原駆動信号ＯＤＲＶ２は１周期おきに０となる。このため、第２の低解像度モードにおいて記録できるドットの最短の間隔は、第１の低解像度モードと同様、Ｖｓｌとなる。よって、第２の低解像度モードの記録密度は、第１の低解像度モードと同様、高解像度モードの１／２である。このような態様としても、同一の原駆動信号に基づいて解像度の異なる印刷を実現することができる。このように、同一の波形を有する原駆動信号であって、周期を変えて生成した原駆動信号も「同一の原駆動信号」であるものとする。なお、原駆動信号の周期を変えるのにともなって、原駆動信号の駆動電圧を変更する態様とすることもできる。すなわち、原駆動信号ＯＤＲＶに対して、時間軸方向、および電圧について、所定の係数をかけて変形させた場合についても、「同一の（共通の）原駆動信号に基づく」に該当するものとする。
【００６６】
Ｅ．変形例：
なお、この発明は上記の実施例や実施形態に限られるものではなく、その要旨を逸脱しない範囲において種々の態様において実施することが可能であり、例えば次のような変形も可能である。
【００６７】
（１）上記実施例では、高解像度モードでは、中ドットと小ドットのみが使用され、大ドットは使用されなかった。しかし、高解像度モードにおいて、大ドットを使用する態様とすることもできる。また、重量が異なる４種類以上のインク滴を使用して、４種類以上の大きさの異なるドットを、印刷モードに応じて使い分ける態様とすることもできる。すなわち、高解像度モードは、低解像度モードと共通の原駆動信号に基づいて、少なくとも最も重量の小さいインク滴を使用して、主走査の方向について低解像度モードのドット記録密度よりも高密度のドット記録密度で印刷媒体上にドットを記録するモードであればよい。これに対して、低解像度モードは、最も重量の小さいインク滴を使用せずに、それ以外のインク滴を使用して、主走査の方向について所定のドット記録密度で印刷媒体上にドットを記録するモードであればよい。
【００６８】
上記のように、高解像度モードにおいても、形成可能なドットのうち最も大きなドットを使用する態様とすれば、高解像度モードにおいて所定の領域を効率的に塗りつぶすことができる。また、４種類以上の大きさの異なるドットを、印刷モードに応じて使い分ける態様とすれば、各モードにおいてより多段階の大きさのドットを使用することができ、より印刷の品質を高めることができる。
【００６９】
さらに、低解像度モードにおいても、最も重量の小さいインク滴を使用する態様とすることもできる。すなわち、本発明は、以下のような第１のドット記録モードと第２のドット記録モードとによる印刷を行う態様とすることができる。第１のドット記録モードにおいては、主走査の方向について第１のドット記録密度で印刷媒体上にドットを記録する。そして、第２のドット記録モードにおいては、第１のドット記録モードと共通の原駆動信号に基づいて吐出されるインク滴を使用して、主走査の方向について第１のドット記録密度よりも高密度の第２のドット記録密度で印刷媒体上にドットを記録する。
【００７０】
（２）上記実施例では、主走査の往路と復路におけるドット形成位置ずれの調整をするに当たって、復路の記録位置（または記録タイミング）を調整することによって位置ずれを補正していたが、往路の記録位置を調整することによって位置ずれを補正するようにしてもよい。また、往路と復路の記録位置の両方を調整することによって位置ずれを補正するようにしてもよい。すなわち、一般には、往路と復路の記録位置の少なくとも一方を調整することによって位置ずれを補正するようにすればよい。
【００７１】
（３）上記実施例では、低解像度モード用の検査用パターンとして、罫線パターンを使用し（図１２参照）、高解像度モード用の検査用パターンとして、パッチパターンを使用していた（図１３参照）。しかし、低解像度モード用の検査用パターンと高解像度モード用の検査用パターンの両方において、罫線パターンを使用することもでき、低解像度モード用の検査用パターンと高解像度モード用の検査用パターンの両方において、パッチパターンを使用することもできる。
【００７２】
ただし、低解像度モード用の検査用パターンとして罫線パターンを使用すれば、文字や線などの品質を十分高められるような調整値を、パッチパターンを使用する場合に比べて短時間で定めることができる。そして、高解像度モード用の検査用パターンとしてパッチパターンを使用すれば、罫線パターンを使用する場合に比べて、中間調などの印刷の品質をより高めることができる調整値を定められる。
【００７３】
（４）上記実施例においては、高解像度モード用の位置ずれ検査用パターンＴ２０は、高解像度モードで使用される中ドットと小ドットで形成されていた。この検査用パターンＴ２０を形成する際に使用される各種のドットの記録割合は、そのモードにおける実際の印刷において各ドットが使用される割合に基づいて定めることができる。例えば、第１実施例の高解像度モードによる実際の印刷において中ドットと小ドットの使用割合が平均で２：１である場合には、検査用パターンＴ２０も中ドットと小ドットの使用割合が２：１となるようにして形成することが好ましい。
【００７４】
また、上記実施例においては、低解像度モード用の位置ずれ検査用パターンＴ１０は中ドットのみで形成されていた。しかし、低解像度モード用の位置ずれ検査用パターンを中ドットと大ドットで形成してもよい。すなわち、低解像度モード用の位置ずれ検査用パターンは、低解像度モードにおいて使用するインク滴のうち少なくとも一種類のインク滴を使用して形成されればよい。また、低解像度モードと高解像度モードのそれぞれの検査用パターンを形成する際には、それぞれのモードで最もよく使用されるドットを最もよく使用して、検査用パターンを形成することが好ましい。低解像度モードと高解像度モードとにおいては、それぞれの最もよく使用されるインク滴の種類は異なる場合が多い。そのような場合には、それぞれの検査用パターンを形成する際にもっともよく使用されるインク滴の種類も異なることになる。
【００７５】
このようにして形成された検査用パターンＴ２０に基づいて調整値を定めれば、実際の印刷結果の品質をより高めることができる。なお、ある画像を印刷する際の各種ドットの使用頻度は、各種ドットを記録するための駆動信号（図７（ｂ）〜（ｄ）参照）が何回使用されたか、で計量することができる。そして、中ドット、小ドットなどの各種ドットの使用割合は、各種ドットの使用頻度の比で計算することができる。
【００７６】
なお、同一の原駆動信号を使用して解像度の異なるモードで印刷を行う場合には、各モードにおいて最も多く使用されるドットの種類が異なることが多い。したがって、各モード用の検査用パターンを印刷する際に、それぞれ最も多く使用するドットを使用して検査用パターンを印刷する態様とすることも好ましい。
【００７７】
（５）上記実施例では、印刷モードと印刷用紙の関係については特に言及しなかった。各印刷モードは、印刷媒体単位で切り換えられるものとしてもよいし、印刷媒体の途中で切り換えられるものとしてもよい。例えば、写真と文章とがともに掲載されている書面を印刷する際には、文章部分を低解像度モードで印刷し、画像部分を高解像度モードで印刷する態様とすることができる。このような態様とすれば、文章部分については高速に印刷することができ、画像部分については高品質に印刷することができる。
【００７８】
（６）図１７は、パッチの色を選択する際にコンピュータ１００のディスプレイに表示されるユーザーインターフェイス画面である。図１７には、８色のサンプル用カラーパッチＳＰが画面上に表されている。上記実施例では、高解像度モード用の調整値を定めるための各パッチは、あらかじめ定められた１色を再現するものであった。しかし、各パッチが再現する色は、図１７のようなユーザーインターフェイス画面を通じて、ユーザが選択する態様とすることもできる。このような態様においては、特定の色を多用しているイラストを印刷する場合などに、その色に類似した色を選択して調整値を定めれば、そのイラストについて高品質な印刷を行うことができる。
【００７９】
（７）図１８は、高解像度モード用の位置ずれ検査用パターンＴ３０の一例を示す模式図である。この位置ずれ検査用パターンＴ３０を構成する各画像片Ｔ３１〜Ｔ３５は、グレーパッチＴ２１〜Ｔ２５のように単一色を再現するものではなく、あらかじめ用意された写真画像データを再現するものである。位置ずれ検査用パターンは、あらかじめ定められた１色を再現するパッチではなく、図１８に示すように、あらかじめ用意された写真画像データを再現するものとすることもできる。このような態様とすれば、ユ−ザは、粒状感の少ない写真画像を印刷できる調整値を決定しやすい。そして、各画像片を実際の印刷の際と同様に各ドットに分解して印刷することで、各モードにおける中ドット、小ドットなどの各種ドットの使用割合を反映して、検査用パターンＴ３０を印刷することができる。
【００８０】
（８）図１９は、高解像度モード用の検査用パターンとして使用される画像を選択する際に、コンピュータ１００のディスプレイに表示されるユーザーインターフェイス画面である。検査用パターンを印刷する際に、実際に印刷したい画像の一部をユーザが指定して、その画像片を検査用パターンとして印刷する態様とすることもできる。ユーザは、図１９（ａ）に示すように、破線で示す領域を検査用パターンとして指定する。すると、図１９（ｂ）に示す画面が表示される。図１９（ｂ）に示す画面で「スタート」アイコンをクリックすると、領域が確定され、確定された画像片が検査用パターンとして印刷される。このような態様とすれば、ユーザが実際に印刷したい画像のうちで、もっとも品質を高めたい部分やもっとも粒状感が目立つ部分について、特に印刷品質を高められるように調整値を決定することができる。よって、高品質でユーザの満足感の高い印刷結果を得ることができる。
【００８１】
（９）上記各実施例では、インクジェットプリンタについて説明したが、本発明はインクジェットプリンタに限らず、一般に、印刷ヘッドを用いて印刷を行う種々の印刷装置に適用可能である。また、本発明は、インク滴を吐出する方法や装置に限らず、他の手段でドットを記録する方法や装置にも適用可能である。
【００８２】
（１０）上記各実施例において、ハードウェアによって実現されていた構成の一部をソフトウェアに置き換えるようにしてもよく、逆に、ソフトウェアによって実現されていた構成の一部をハードウェアに置き換えるようにしてもよい。例えば、図１４および図１５に示したヘッド駆動回路５２，５２ａ〜５２ｃの一部の機能をソフトウェアによって実現することも可能である。
【図面の簡単な説明】
【００８３】
【図１】本発明の一実施形態の手続きの流れを示すフローチャート。
【図２】プリンタ２０を備えた印刷システムの概略構成図。
【図３】インクジェットプリンタ２０の概略構成図。
【図４】制御回路４０を中心としたプリンタ２０の構成を示すブロック図。
【図５】印刷ヘッド２８に設けられた複数列のノズルを示す説明図。
【図６】ヘッド駆動回路５２（図４）内に設けられた駆動信号発生部の構成を示すブロック図。
【図７】１画素区間分の原駆動信号および駆動信号を示す説明図。
【図８】低解像度モードにおける主走査ラインの記録のし方を示す説明図。
【図９】高解像度モードにおける主走査ラインの記録のし方を示す説明図。
【図１０】双方向印刷時の位置ずれを示す説明図。
【図１１】低解像度モード用の位置ずれ検査用罫線パターンの例を示す説明図。
【図１２】コンピュータに調整値を入力する際のユ−ザインターフェイス画面を示す説明図。
【図１３】高解像度モード用の位置ずれ検査用パターンＴ２０の一例を示す模式図。
【図１４】印刷時のずれ補正に関連する主要な構成を示すブロック図。
【図１５】他の態様における印刷時のずれ補正に関連する主要な構成を示すブロック図。
【図１６】各印刷モードにおける画素と原駆動信号の関係を示した説明図。
【図１７】パッチの色を選択する際にコンピュータ１００のディスプレイに表示されるユーザーインターフェイス画面。
【図１８】高解像度モード用の位置ずれ検査用パターンＴ３０の一例を示す模式図。
【図１９】高解像度モード用の検査用パターンとして使用される画像を選択する際に、コンピュータ１００のディスプレイに表示されるユーザーインターフェイス画面。
【符号の説明】
【００８４】
２０...インクジェットプリンタ
２２...紙送りモータ
２４...キャリッジモータ
２８...印刷ヘッド
３０...キャリッジ
３２...プリンタ
３２...操作パネル
３４...摺動軸
３６...駆動ベルト
３８...プーリ
３９...位置センサ
４０...制御回路
４１...ＣＰＵ
４１ａ...パターン形成部
４３...ＰＲＯＭ
４４...ＲＡＭ
５０...Ｉ／Ｆ専用回路
５２，５２ａ〜５２ｃ...ヘッド駆動回路
５４...モータ駆動回路
５６...コネクタ
６０...印刷ヘッドユニット
９１〜９３...アクチュエータチップ
１００...ホストコンピュータ
１０２...ＣＰＵ
１０２ａ...プリンタドライバ
１０２ｂ...画像データ生成部
１０２ｃ...モード識別コマンド生成部
１０２ｄ...パターン形成部
１０２ｅ...ユーザーインターフェイス部
１１０...液晶ディスプレイ
１２０...キーボード
１３０...マウス
２０２...調整番号格納領域
２０４...マスク回路
２０５...調整値テーブル
２０６...原駆動信号発生部
２１０...補正実行部
２３０...駆動信号補正部
ＣＳ...カーソル
ＣＶｋ...合成速度ベクトル
ＤＲＶ...駆動信号
Ｉｐｂ...大インク滴
Ｉｐｍ...中インク滴
Ｉｐｓ...小インク滴
Ｋ...ブラック小インク滴
ＬＣ...淡シアン小インク滴
ＬＭ...淡マゼンタ小インク滴
Ｍ...濃マゼンタ小インク滴
ＯＤＲＶ...原駆動信号
Ｐ...印刷用紙
ＰＲＴ...シリアル印刷信号
ＰＳ...印刷信号
ＳＰ...サンプル用カラーパッチ
Ｔ１...縦罫線対
Ｔ１０...検査用罫線パターン
Ｔ１１，Ｔ１２...縦罫線
Ｔ２０...検査用パターン
Ｔ２１〜Ｔ２５...グレーパッチ
Ｔ３０...検査用パターン
Ｔ３１〜Ｔ３５...画像片
Ｔｐ...１画素分の原駆動信号の時間区間
Ｖｋ...吐出速度
Ｖｓ...主走査速度ベクトル
Ｖｓｈ...高解像度モードにおける印刷ヘッドの時間Ｔｐでの移動距離
Ｖｓｌ...低解像度モードにおける印刷ヘッドの時間Ｔｐでの移動距離
Ｗ１...小ドットパルス
Ｗ２...中ドットパルス
Ｗ３...大ドットパルス
Ｙ...イエロノズル列
ｎ...ノズル
ｎ１〜ｎ４８...ノズル
【図１】
2008080814.tif 000003
【図２】
2008080814.tif 000004
【図３】
2008080814.tif 000005
【図４】
2008080814.tif 000006
【図５】
2008080814.tif 000007
【図６】
2008080814.tif 000008
【図７】
2008080814.tif 000009
【図８】
2008080814.tif 000010
【図９】
2008080814.tif 000011
【図１０】
2008080814.tif 000012
【図１１】
2008080814.tif 000013
【図１２】
2008080814.tif 000014
【図１３】
2008080814.tif 000015
【図１４】
2008080814.tif 000016
【図１５】
2008080814.tif 000017
【図１６】
2008080814.tif 000018
【図１７】
2008080814.tif 000019
【図１８】
2008080814.tif 000020
【図１９】
2008080814.tif 000021
【手続補正書】
【提出日】平成20年1月16日(2008.1.16)
【手続補正１】
【補正対象書類名】特許請求の範囲
【補正対象項目名】全文
【補正方法】変更
【補正の内容】
【特許請求の範囲】
【請求項１】
ノズルからインク滴を吐出させ、印刷媒体上に着弾させてドットを形成することにより印刷を行う印刷装置であって、
ノズルを備えた印刷ヘッドと、
原駆動信号に基づいて前記ノズルから重量が異なる複数種類のインク滴を吐出させることができるヘッド駆動部と、
前記印刷ヘッドと、前記印刷媒体と、の少なくとも一方を移動させる主走査を行う主走査駆動部と、
前記ヘッド駆動部および前記主走査駆動部を制御する制御部と、を備え、
前記ヘッド駆動部は、
前記複数種類のインク滴に対応する複数のパルスを含む前記原駆動信号を生成し、
前記制御部の制御に従って、前記生成した原駆動信号に含まれる前記複数のパルスを選択的に使用することによって、前記ノズルから前記複数種類のインク滴を吐出させ、
前記制御部は、
生成した前記原駆動信号に含まれる前記複数のパルスのうち、前記重量が異なる複数種類のインク滴のうち最も重量の小さいインク滴に対応する前記パルスを使用せずに、前記最も重量の小さいインク滴以外のインク滴に対応する複数の前記パルスを選択的に使用して、前記ノズルからインク滴を吐出させ、前記主走査の方向について第１のドット記録密度で前記印刷媒体上にドットを記録する第１のドット記録モードと、
前記第１のドット記録モードと共通の前記原駆動信号を使用し、生成した前記原駆動信号に含まれる前記複数のパルスのうち、前記最も重量の小さいインク滴に対応する前記パルスを含む複数の前記パルスを選択的に使用して、前記ノズルからインク滴を吐出させ、前記主走査の方向について前記第１のドット記録密度よりも高密度の第２のドット記録密度で前記印刷媒体上にドットを記録する第２のドット記録モードと、を備える印刷装置。
【請求項２】
請求項１記載の印刷装置であって、
前記制御部は、
前記第１のドット記録モードにおいて、ｎ回（ｎは１以上の整数）の前記主走査で一つの主走査ライン内のすべての画素にドットを記録することができ、
前記第２のドット記録モードにおいて、ｍ回（ｍはｎより大きい整数）の前記主走査で一つの主走査ライン内のすべての画素にドットを記録することができる、印刷装置。
【請求項３】
請求項１記載の印刷装置であって、
前記制御部は、
前記第１のドット記録モードにおいて、第１の調整値に基づいて前記主走査の方向のドット形成位置ずれを調整して印刷を行い、
前記第２のドット記録モードにおいて、第２の調整値に基づいて前記主走査の方向のドット形成位置ずれを調整して印刷を行う、印刷装置。
【請求項４】
請求項３記載の印刷装置であって、
前記制御部は、さらに、
前記重量が異なる複数種類のインク滴のうちの少なくとも一種類のインク滴であって、前記第１のドット記録モードにおいて使用するインク滴を使用して第１の位置ずれ検査用パターンを印刷媒体上に印刷し、少なくとも前記最も重量の小さいインク滴を使用して第２の位置ずれ検査用パターンを印刷媒体上に印刷する検査用パターン形成部と、
前記印刷された第１および第２の位置ずれ検査用パターンに基づいてユーザによってそれぞれ決定された、前記第１の調整値および前記第２の調整値を受け取ることができるユーザーインターフェイス部と、を備える印刷装置。
【請求項５】
請求項４記載の印刷装置であって、
前記検査用パターン形成部は、前記第２の位置ずれ検査用パターンを印刷する際には、前記重量が異なる複数種類のインク滴のうちの少なくとも一種類のインク滴であって、前記重量が異なる複数種類のインク滴のうち前記第１の位置ずれ検査用パターンを印刷する際に最も多く使用する第１の種類のインク滴とは異なる第２の種類のインク滴を最も多く使用して、前記第２の位置ずれ検査用パターンを印刷する印刷装置。
【請求項６】
請求項３記載の印刷装置であって、さらに、
前記第１の調整値および前記第２の調整値を記憶する不揮発性メモリを備える、印刷装置。
【請求項７】
印刷媒体上にインク滴を着弾させてドットを形成することにより印刷を行う方法であって、
互いに重量が異なる複数種類のインク滴に対応する複数のパルスを含む原駆動信号を生成する工程を備え、
前記方法は、さらに、
（ａ）生成した前記原駆動信号に含まれる前記複数のパルスのうち、前記複数種類のインク滴のうち最も重量の小さいインク滴に対応する前記パルスを使用せずに、前記最も重量の小さいインク滴以外のインク滴に対応する複数の前記パルスを選択的に使用して、前記ノズルからインク滴を吐出させ、前記主走査の方向について第１のドット記録密度で前記印刷媒体上にドットを記録する工程と、
（ｂ）生成した前記原駆動信号に含まれる前記複数のパルスのうち、前記最も重量の小さいインク滴に対応する前記パルスを含む複数の前記パルスを選択的に使用して、前記ノズルからインク滴を吐出させ、前記主走査の方向について前記第１のドット記録密度よりも高密度の第２のドット記録密度で前記印刷媒体上にドットを記録する工程と、を備える印刷方法。
【請求項８】
請求項７記載の印刷方法であって、
前記工程（ａ）は、ｎ回（ｎは１以上の整数）の前記主走査で一つの主走査ライン内のすべての画素へのドットの記録を完了する工程を含み、
前記工程（ｂ）は、ｍ回（ｍはｎより大きい整数）の前記主走査で一つの主走査ライン内のすべての画素へのドットの記録を完了する工程を含む、印刷方法。
【請求項９】
請求項７記載の印刷方法であって、
前記工程（ａ）は、第１の調整値に基づいて前記主走査の方向のドット形成位置ずれを調整して印刷を行う工程を含み、
前記工程（ｂ）は、第２の調整値に基づいて前記主走査の方向のドット形成位置ずれを調整して印刷を行う工程を含む、印刷方法。
【請求項１０】
請求項９記載の印刷方法であって、さらに、
（ｃ）前記重量が異なる複数種類のインク滴のうちの少なくとも一種類のインク滴であって、前記工程（ａ）において使用するインク滴を使用して第１の位置ずれ検査用パターンを印刷媒体上に印刷する工程と、
（ｄ）前記第１の位置ずれ検査用パターンに基づいてユーザによってそれぞれ決定された、前記第１の調整値を記憶する工程と、
（ｅ）少なくとも前記最も重量の小さいインク滴を使用して第２の位置ずれ検査用パターンを印刷媒体上に印刷する工程と、
（ｆ）前記第２の位置ずれ検査用パターンに基づいてユーザによってそれぞれ決定された、前記第２の調整値を記憶する工程と、を含む、印刷方法。
【請求項１１】
請求項１０記載の印刷方法であって、
前記工程（ｅ）は、前記重量が異なる複数種類のインク滴のうちの少なくとも一種類のインク滴であって、前記重量が異なる複数種類のインク滴のうち前記第１の位置ずれ検査用パターンを印刷する際に最も多く使用する第１の種類のインク滴とは異なる第２の種類のインク滴を最も多く使用して、前記第２の位置ずれ検査用パターンを印刷する工程を含む、印刷方法。
【手続補正２】
【補正対象書類名】明細書
【補正対象項目名】００６９
【補正方法】変更
【補正の内容】
【００６９】
本発明は、以下のような第１のドット記録モードと第２のドット記録モードとによる印刷を行う態様とすることができる。第１のドット記録モードにおいては、主走査の方向について第１のドット記録密度で印刷媒体上にドットを記録する。そして、第２のドット記録モードにおいては、第１のドット記録モードと共通の原駆動信号に基づいて吐出されるインク滴を使用して、主走査の方向について第１のドット記録密度よりも高密度の第２のドット記録密度で印刷媒体上にドットを記録する。